(57)【特許請求の範囲】
【請求項１】
本体動作部および制御コントローラ部への給電がなされる通常モードにおいて、動作が一定期間なされない場合に、前記本体動作部への給電を停止して、前記制御コントローラ部への給電を行う省電力モードに移行する画像処理装置において、
揮発性メモリの情報のうち、少なくとも前記通常モードへの復帰に要する所定情報を不揮発性メモリに複製する複製手段と、
前記揮発性メモリをキャパシタ電源により所定時間バックアップ状態にするバックアップ手段と、
前記所定時間内に、前記省電力モードから前記通常モードへ復帰させる復帰イベントが生じた場合に、前記揮発性メモリの情報に基づいて前記通常モードへ復帰する第１の復帰手段と、
前記所定時間内に、前記復帰イベントが生じない場合に、前記揮発性メモリへの給電を停止して、低電力モードへ移行する移行手段と、
前記低電力モードにおいて、前記復帰イベントが生じた場合に、前記不揮発性メモリの情報に基づいて前記通常モードへ復帰する第２の復帰手段と、
を備え、かつ、前記復帰イベントを任意に選択可能として、前記所定時間を変動させることを特徴とする画像処理装置。
【請求項２】
前記本体動作部の各機能ユニットの使用頻度を時間単位で記憶する使用頻度記憶手段と、
前記各機能ユニットのスイッチの切替パターンを所定数記憶する切替パターン記憶手段と、を備え、
前記使用頻度に基づいて、前記切替パターンを選択することを特徴とする請求項１に記載の画像処理装置。
【請求項３】
小容量で急速充電可能な第１のキャパシタと、該第１のキャパシタよりも大容量で充電時間を要する第２のキャパシタと、を有し、
前記揮発性メモリから前記不揮発性メモリへの前記所定情報の複製および前記揮発性メモリのバックアップ状態への移行を、前記第１のキャパシタからの給電に基づいて行うことを特徴とする請求項１または２に記載の画像処理装置。
【請求項４】
本体動作部および制御コントローラ部への給電がなされる通常モードにおいて、動作が一定期間なされない場合に、前記本体動作部への給電を停止して、前記制御コントローラ部への給電を行う省電力モードに移行する画像処理装置において、
揮発性メモリの情報のうち、少なくとも前記通常モードへの復帰に要する所定情報を不揮発性メモリに複製する複製手段と、
前記揮発性メモリをキャパシタ電源により所定時間バックアップ状態にするバックアップ手段と、
前記所定時間内に、前記省電力モードから前記通常モードへ復帰させる復帰イベントが生じた場合に、前記揮発性メモリの情報に基づいて前記通常モードへ復帰する第１の復帰手段と、
前記所定時間内に、前記復帰イベントが生じない場合に、前記揮発性メモリへの給電を停止して、低電力モードへ移行する移行手段と、
前記低電力モードにおいて、前記復帰イベントが生じた場合に、前記不揮発性メモリの情報に基づいて前記通常モードへ復帰する第２の復帰手段と、
前記本体動作部の各機能ユニットの使用頻度を時間単位で記憶する使用頻度記憶手段と、
前記各機能ユニットのスイッチの切替パターンを所定数記憶する切替パターン記憶手段と、を備え、
前記使用頻度に基づいて、前記切替パターンを選択し、かつ、
前記揮発性メモリから前記不揮発性メモリへの前記所定情報の複製に要する時間と、次に復帰イベントが発生するまでの時間とを比較する手段を備え、
前記所定情報の複製に要する時間が、前記復帰イベントが発生するまでの時間よりも短い場合、前記所定情報の複製を前記低電力モードへ移行して行うことを特徴とする画像処理装置。
【発明の詳細な説明】
【技術分野】
【０００１】
本発明は、画像処理装置に関する。さらに詳述すると、消費電力の低減に好適な画像処理装置に関する。
【背景技術】
【０００２】
プリンタ、スキャナ、ファクシミリ装置、デジタル複合機等の画像処理装置においては、消費電力低減の要求が大きく、特に、操作やジョブの実行がない待機時の消費電力の低減が要求されていた。そこで、従来、画像処理装置では消費電力削減のため、エンジン等の電流を多く消費するユニットの電源供給を停止する省電力モードを設け、待機時にはこの省電力モードに移行することによって消費電力を低減することが行われている。
【０００３】
従来の省電力モードにおいては、各部位を制御する制御基板のＣＰＵとその周辺回路には電力供給がなされていたが、近年、省電力モードにおける消費電力の低減要求はますます強くなり、上記制御基板のＣＰＵ自体の電力も低電力モードに移行させ電力を削減する画像処理装置が既に知られている。
【０００４】
しかしながら、上記の画像処理装置では、制御基板のＣＰＵが低電力モードから復帰するイニシャライズに時間が掛かるという問題があった。このため、通常モードと省電力モードとの移行が頻繁に起きるのを避けるように、移行タイマーを比較的長くしなければ立ち上がりによる待ち時間が頻繁に発生してしまい実用性に問題があった。
【０００５】
その結果、ＣＰＵを低電力モードに移行させるのは禁止したり、また、画像処理装置に電池などのバックアップ電源を装備したりする必要があり、低電力モードへの移行が思惑通り行われず、期待されるほどの省電力効果を生じさせることができず、また、コストアップに繋がるという問題が生じていた。
【０００６】
このような問題に対し、例えば、特許文献１には、短時間で省電力モードから通常モードに復帰することを目的として、通常モードの制御に必要なデータを格納するメモリを２つ備えた電子装置に関する発明が開示されている。特許文献１に記載の電子装置は、通常モードの制御に必要なデータを格納するメモリと、当該メモリよりも高速にアクセス可能であり消費電力が少ないメモリを有し、省電力モードからの復帰に必要なデータの少なくとも一部を、後者のメモリに記憶させ、省電力モードからの復帰には後者のデータを利用して行うようにしたものである。また、特許文献２には、省電力モードからの復帰時に、揮発性メモリに記憶されている信頼性の高い情報を利用可能なメモリ制御装置に関する技術が開示されている。
【発明の概要】
【発明が解決しようとする課題】
【０００７】
上記特許文献では、省電力モードからの復帰において、高速にアクセス可能なメモリを使用することで、通常モードへの復帰の高速化を図っているが、省電力モードにおける消費電力の低減を十分に図ることができず、更なる検討の余地が残されていた。
【０００８】
そこで本発明は、通常モードと省電力モードとの移行が頻繁に起きる場合にも、省電力効果を高め、かつ省電力モードから通常モードに高速に復帰することができる画像処理装置を提供することを目的とする。
【課題を解決するための手段】
【０００９】
かかる目的を達成するため、請求項１に記載の画像処理装置は、本体動作部および制御コントローラ部への給電がなされる通常モードにおいて、動作が一定期間なされない場合に、本体動作部への給電を停止して、制御コントローラ部への給電を行う省電力モードに移行する画像処理装置において、揮発性メモリの情報のうち、少なくとも通常モードへの復帰に要する所定情報を不揮発性メモリに複製する複製手段と、揮発性メモリをキャパシタ電源により所定時間バックアップ状態にするバックアップ手段と、所定時間内に、省電力モードから通常モードへ復帰させる復帰イベントが生じた場合に、揮発性メモリの情報に基づいて通常モードへ復帰する第１の復帰手段と、所定時間内に、復帰イベントが生じない場合に、揮発性メモリへの給電を停止して、低電力モードへ移行する移行手段と、低電力モードにおいて、復帰イベントが生じた場合に、不揮発性メモリの情報に基づいて通常モードへ復帰する第２の復帰手段と、を備え、かつ、復帰イベントを任意に選択可能として、所定時間を変動させるものである。
【００１１】
また、請求項２に記載の発明は、請求項１に記載の画像処理装置において、本体動作部の各機能ユニットの使用頻度を時間単位で記憶する使用頻度記憶手段と、各機能ユニットのスイッチの切替パターンを所定数記憶する切替パターン記憶手段と、を備え、使用頻度に基づいて、切替パターンを選択するものである。
【００１２】
また、請求項３に記載の発明は、請求項１または２に記載の画像処理装置において、小容量で急速充電可能な第１のキャパシタと、該第１のキャパシタよりも大容量で充電時間を要する第２のキャパシタと、を有し、揮発性メモリから不揮発性メモリへの所定情報の複製および揮発性メモリのバックアップ状態への移行を、第１のキャパシタからの給電に基づいて行うものである。
【００１３】
また、請求項４に記載の画像処理装置は、本体動作部および制御コントローラ部への給電がなされる通常モードにおいて、動作が一定期間なされない場合に、本体動作部への給電を停止して、制御コントローラ部への給電を行う省電力モードに移行する画像処理装置において、揮発性メモリの情報のうち、少なくとも通常モードへの復帰に要する所定情報を不揮発性メモリに複製する複製手段と、揮発性メモリをキャパシタ電源により所定時間バックアップ状態にするバックアップ手段と、所定時間内に、省電力モードから通常モードへ復帰させる復帰イベントが生じた場合に、揮発性メモリの情報に基づいて通常モードへ復帰する第１の復帰手段と、所定時間内に、復帰イベントが生じない場合に、揮発性メモリへの給電を停止して、低電力モードへ移行する移行手段と、低電力モードにおいて、復帰イベントが生じた場合に、不揮発性メモリの情報に基づいて通常モードへ復帰する第２の復帰手段と、本体動作部の各機能ユニットの使用頻度を時間単位で記憶する使用頻度記憶手段と、各機能ユニットのスイッチの切替パターンを所定数記憶する切替パターン記憶手段と、を備え、使用頻度に基づいて、切替パターンを選択し、かつ、揮発性メモリから不揮発性メモリへの所定情報の複製に要する時間と、次に復帰イベントが発生するまでの時間とを比較する手段を備え、所定情報の複製に要する時間が、復帰イベントが発生するまでの時間よりも短い場合、所定情報の複製を低電力モードへ移行して行うものである。
【発明の効果】
【００１４】
本発明によれば、通常モードと省電力モードとの移行が頻繁に起きる場合にも、省電力効果を高め、かつ省電力モードから通常モードに高速に復帰することができる。
【図面の簡単な説明】
【００１５】
【図１】本実施形態に係る画像処理装置のブロック構成図である。
【図２】省電力モードへの移行および通常モードへの復帰処理を示すフローチャート（１）である。
【図３】各ＭＰＵのステータスと制御コントローラの電源の動作を示すタイムチャートである。
【図４】画像処理装置のブロック構成図の他の例である。
【図５】（Ａ）使用実績の観測結果を示す一覧表、（Ｂ）時間帯によるスイッチの自動設定例を示す一覧表である。
【図６】省電力モードへの移行および通常モードへの復帰処理を示すフローチャート（２）である。
【図７】省電力モードへの移行および通常モードへの復帰処理を示すフローチャート（３）である。
【発明を実施するための形態】
【００１６】
以下、本発明に係る構成を図１から図７に示す実施の形態に基づいて詳細に説明する。
【００１７】
本発明に係る画像処理装置は、本体動作部（エンジン制御部１）および制御コントローラ部（２）への給電がなされる通常モードにおいて、動作が一定期間なされない場合に、本体動作部への給電を停止して、制御コントローラ部への給電を行う省電力モードに移行する画像処理装置において、揮発性メモリ（ＤＲＡＭ＿Ｍ６ｂ）の情報のうち、少なくとも通常モードへの復帰に要する所定情報を不揮発性メモリ（ＦＲＯＭ＿Ｓ５ｃ）に複製する複製手段（図２のＳ１０６等）と、揮発性メモリをキャパシタ電源により所定時間バックアップ状態にするバックアップ手段（Ｓ１０７等）と、所定時間内に、省電力モードから通常モードへ復帰させる復帰イベントが生じた場合に（Ｓ１０８：Ｎｏ等）、揮発性メモリの情報に基づいて通常モードへ復帰する第１の復帰手段（Ｓ１１４〜Ｓ１１６等）と、所定時間内に、復帰イベントが生じない場合に（Ｓ１０８：Ｙｅｓ等）、揮発性メモリへの給電を停止して（Ｓ１０９等）、低電力モードへ移行する移行手段（Ｓ１１２等）と、低電力モードにおいて、復帰イベントが生じた場合（Ｓ１１８：Ｙｅｓ等）に、不揮発性メモリの情報に基づいて通常モードへ復帰する第２の復帰手段（Ｓ１２４〜Ｓ１２５等）と、を備えたものである。また、復帰イベントは、任意に選択、設定が可能であり、これにより、所定時間を変動させることができるものである。
【００１８】
このように、本発明に係る画像処理装置は、省電力モードへの移行および通常モードへの復帰処理に際し、制御基板のＣＰＵも低電力モードに移行するとともに、所定時間、揮発性メモリの情報をキャパシタ電源による電力で保持し、通常モードへの復帰要因があると揮発性メモリの情報で制御基板のＣＰＵは高速復帰するようにし、かつ、この所定時間は、必要な機能を選択して調整することができるものである。また、その所定時間内で通常モードに復帰しなければならないときには揮発性メモリの情報により高速に起動して、その間にも電力削減を行っているものである。
【００１９】
＜第１の実施形態＞
（画像処理装置の構成）
先ず、本実施形態に係る画像処理装置の構成について説明する。図１は、本実施形態に係る画像処理装置のブロック構成図である。画像処理装置は、エンジン制御部１、制御コントローラ部２、第１の省電力制御部３ａ、第２の省電力制御部３ｂ、電源コード１６ａ、電源スイッチ（ＳＷ）１６ｂおよび電源部１６ｃにより構成される。
【００２０】
電源部１６ｃで生成されるＤＣ電圧Ｖｅはエンジン制御部１、電圧Ｖｍは制御コントローラ部２用の電圧である。なお、ＤＣ電圧Ｖｅ，Ｖｍといっても、実際にはいくつかの電圧が生成されるが、ここではユニット単位でまとめて説明する。また、電圧Ｖｓはエネルギー効率が極めて高いが、電流は小容量しか出力できない電圧である。例えば、Ｖｍ、Ｖｃが５Ａ電流供給できるのに対し、Ｖｓは０．０１Ａ程度の極めて低い電力しか供給できないものである。
【００２１】
画像処理装置では、エンジン制御部１、制御コントローラ部２および第１の省電力制御部３ａの情報のやり取りは、シリアル通信で行われる。エンジンＭＰＵ４ａ、メインＭＰＵ４ｂ間はＣＯＭ＿ＭＥ信号、メインＭＰＵ４ｂ、省エネ起動ＭＰＵ４ｃ間はＣＯＭ＿ＭＳ信号とする。なお、画像パスについては、詳細を省略しているが、エンジンＭＰＵ４ａ、メインＭＰＵ４ｂ間でＶｉｄｅｏバス（例えば、ＰＣＩ  Ｅｘｐｒｅｓｓのような高速シリアルバス）で接続されていればよい。また、エンジンＭＰＵ４ａ、メインＭＰＵ４ｂにＶｉｄｅｏバスを設け、アービター経由で接続するようにしても良い。
【００２２】
エンジン制御部１は、画像処理装置の各種ＩＯユニットを有し、それらはエンジンＭＰＵ４ａによって制御される。エンジンＭＰＵ４ａのバスにはＦＲＯＭ＿Ｅ５ａ、ＤＲＡＭ＿Ｅ６ａが接続される。また、スキャナ８ａおよびスキャナ制御部８ｂ、レーザー９ａおよびレーザー制御部９ｂ、プロッタＩ／Ｏ１０ａおよびプロッタ制御部１０ｂを備えている。また、プロッタＩ／Ｏ１０ａでは、電源部１６ｃからのＡＣ電源Ｖｐを用いて使用する高圧電圧を生成する回路を有している。また、原稿やプリント用紙の搬送のためのＡＤＦ（Auto Document Feeder）１１ａ、モーター／クラッチ１１ｂや各種のセンサー１１ｃは、Ｉ／Ｏ制御部１１ｄで制御、検出がなされる。
【００２３】
制御コントローラ部２は、メインＭＰＵ４ｂにより制御される。バス（メインＭＰＵバス）には、ＦＲＯＭ＿Ｍ５ｂと画像処理を行う画像処理制御部７が接続される。また、バスには、操作部１２と、アナログＦＡＸのため回線Ｉ／Ｆ１３ａとＦＡＸモデム１３ｂ、ネットワークのためのＬＡＮ  Ｉ／Ｆ１４、ＵＳＢ／Ｄ（デバイス）、ＵＳＢ／Ｈ（ホスト）が接続するＵＳＢＰＨＹ１５が接続される。
【００２４】
制御コントローラ部２のメインＭＰＵバスは、第１の省電力制御３ａにも接続され、マルチプレクサ（ＭＵＸ）６ｃを介して、メインＭＰＵ４ｂのメインメモリであるＤＲＡＭ＿Ｍ６ｂを接続している。なお、メインＭＰＵ４ｂ内部にマルチプレクサを内蔵しても良く、この場合は、メインＭＰＵ４ｂは電源系統を複数持つようにすれば良い。
【００２５】
第１の省電力制御部３ａは、省エネ起動ＭＰＵ４ｃにより制御される。省エネ起動ＭＰＵ４ｃ内部にはＣＰＵをはじめ、ＤＭＡコントローラ、ＤＲＡＭＩ/Ｆ、ＦＲＯＭＩ/Ｆ、パラレルＩ/Ｏなどを備えている。
【００２６】
また、省エネ起動ＭＰＵ４ｃには、退避先の不揮発メモリであるＦＲＯＭ＿Ｓ５ｃがローカルバスを介して接続される。マルチプレクサ６ｃも含め、電圧Ｖｃが供給されている。ＤＲＡＭ＿Ｍ６ｂへの供給電圧Ｖｄｒはメモリ電圧生成回路６ｄで電圧Ｖｃから作られ、ＤＲ＿ＥＮ信号によりＯＮ／ＯＦＦできる。
【００２７】
第２の省電力制御部３ｂは、制御コントローラ部２の電圧Ｖｍから後述の省電力モードへの移行および通常モードへの復帰処理に用いる電圧を制御する回路である。電圧Ｖｍは整流ダイオード１７ａ,１７ｂを介して、キャパシタ１７ｃ、ＳＷ１８ａ,１８ｂに接続している。また、電圧Ｖｓは整流ダイオード１７ｄを介して電圧Ｖｃに接続している電圧Ｖｍが有効な場合には、電圧Ｖｍが供給され、電圧Ｖｓは電流が流れないように調整される。電圧ＶｍがＯＦＦでキャパシタ１７ｃから電流供給される場合（電圧Ｖｃが有効）も、電圧Ｖｓは流れないように調整される。これは、例えば、各電圧に多少の電位差を設け、整流ダイオードの順電圧との和で電圧Ｖｓが最下位にするようにしておけば良い。
【００２８】
通常時、ＳＷ１８ａ,１８ｂは閉じており、電圧Ｖｍでキャパシタ１７ｃ（静電容量Ｃである）がチャージされるとともに、第１の省電力制御３ａの電圧ＶｃがＶｍより供給される。また、省電力モードから復帰するためのイベントを検出するため、ＡＤＦのセンサー１１ｃの検出部は電圧Ｖｅとは別の電圧Ｖｕ１で駆動されている。また、操作部１２のキー押下検出は電圧Ｖｍとは別の電圧Ｖｕ２で駆動されている。同様に、アナログ回線からの呼び出し信号検出は電圧Ｖｕ３、ネットワークからのパケット検出は電圧Ｖｕ４、ＵＳＢポートの接続やパケット検出は電圧Ｖｕ５で駆動されている。また、それぞれのイベント検出は信号ＩＶＴ＿１〜５として、省エネ起動ＭＰＵ４ｃのＰＩＯに入力され、認識される。
【００２９】
電圧Ｖｍ、Ｖｃの電圧値は第１、第２電圧検知１９ａ，１９ｂで検知され、検知信号ＤＥＴ＿Ｖｍ、Ｖｃが省エネ起動ＭＰＵ４ｃに出力される。なお、いくつかの電圧検知できるものを用いることで、より細かい制御ができるが、説明のため１ビットの信号で記載している。
【００３０】
また、信号ＳＷ＿１〜９は、省エネ起動ＭＰＵ４ｃのＰＩＯでポート制御される。電源部１６ｃの出力電圧Ｖｅ、Ｖｍ、Ｖｓはそれぞれ信号ＳＷ＿１、２、３でＯＮ／ＯＦＦ制御される。キャパシタ１７ｃの電圧ＶｃをＯＮ／ＯＦＦするＳＷ１８ｂは信号ＳＷ＿４で、電圧Ｖｕ１〜５をＯＮ／ＯＦＦするＳＷ郡１８ａは信号＿ＳＷ５〜９で制御される。
【００３１】
（画像処理装置の動作）
次に、画像処理装置の動作について説明する。
【００３２】
[電源の立ち上がり処理]
先ず、電源の立ち上がり処理について説明する。電源コード１６ａをコンセントに接続し、電源ＳＷ１６ｂを入れると、電源部１６ｃでＤＣ電圧が生成され、各ユニットに電源が入る。電源が有効になるとエンジンＭＰＵ４ａ、メインＭＰＵ４ｂのリセットが解除され、初期化処理が行われる。
【００３３】
エンジン制御部１と制御コントローラ部２は、それぞれのＭＰＵ４ａ，４ｂが初期化された後、順次ＭＰＵから初期化されることで、画像処理装置全体が立ち上がる。また、操作部１２からの操作により、ＡＤＦ１１、スキャナ８ａ、レーザー９ａ、プロッタＩ／Ｏ１０ａを用いて、コピー機能、スキャナ機能、ＦＡＸ送信機能が動作する。また、ネットワークやＵＳＢ経由でクライアントＰＣからプリント機能も使用できる。また、アナログ電話網からのＦＡＸ受信は、レーザー９ａ、プロッタＩ／Ｏ１０ａなどを使用してプリント出力される。
【００３４】
[省電力モードへの移行および通常モードへの復帰処理]
省電力モードでは、レーザープロッタなどは余熱などに大きな電力を使用するため、エンジン制御部１の電源がＯＦＦにされる。例えば、何の操作もなく、プリント、ＦＡＸの受信等がない時間が一定時間（例えば、ユーザーによって操作部１２から設定される省電力モード移行時間）が過ぎた場合に、省電力モードに移行するものである。なお、従来装置として、省電力モードでも制御コントローラ部２の電源ＯＮのままとするものや、比較的電力消費しない専用のマイコンを装備し、制御コントローラ部２におけるその他の電源をＯＦＦにするものも広く知られている。
【００３５】
図２は、本実施形態に係る画像処理装置が実行する省電力モードへの移行および通常モードへの復帰処理の一例を示すフローチャートである。以下、本実施形態に係る画像処理装置の動作を説明する。
【００３６】
先ず、省電力モードへの移行時間のタイマーをメインＭＰＵ４ｂが有し、この時間が経過した場合、省電力モード移行の通知をエンジンＭＰＵ４ａへ行い、ＡＣＫが帰って来ると、省電力モードへの移行処理が開始する。エンジンＭＰＵ４ａとのハンドシェイクや、制御コントローラ部２の各部位をフリーズさせる処理など後処理などのスリープ処理である（図２のスタート）。
【００３７】
省エネ起動ＭＰＵ４ｃは、メインＭＰＵ４ｂから省電力モードへの移行通知を、ＣＯＭ＿ＭＳ信号を通じて受け付ける（Ｓ１０１）。また、省エネ起動ＭＰＵ４ｃは、電源部１６ｃのＳＷ１をＯＮからＯＦＦにし、電圧Ｖｅを切る（Ｓ１０２）。
【００３８】
省電力復帰イベントのいずれを有効にするかについては、予め操作部１２から装置管理者等によって設定できるものとする。有効にする設定がされたＩ／Ｏに対応した電圧Ｖｕ１〜５のＯＮ／ＯＦＦスイッチ１８ａを、信号ＳＷ５−９を用いてＯＦＦする（Ｓ１０３）。なお、本実施形態では、部位を５つとしているがその他の部位や、さらに細かく部位を分けても良いのは勿論である。また、本実施形態では、操作部１２、ＦＡＸ１３、ネットワーク１４からの復帰イベントを受け付ける例について説明する。すなわち、ＳＷ５およびＳＷ９をＯＮからＯＦＦとする。
【００３９】
次に、制御コントローラ部２の電圧Ｖｍを、ＳＷ２をＯＦＦして切る（Ｓ１０４）。なお、電流容量がある程度あるので、電圧が有効電圧を下回るのを第１電圧検知１９ｂのＤＥＴ＿Ｖｍ信号を監視し（Ｓ１０５）、無効（disable）になったら（Ｓ１０５：Ｙｅｓ）、ＤＲＡＭ＿Ｍ６ｂからＤＭＡを用いてデータを取得して内部バッファを介して、ＦＲＯＭＩ／ＦからＦＲＯＭ＿Ｓ５ｃの予め決められた領域にコピーする（Ｓ１０６）。
【００４０】
ここで、マルチプレクサ６ｃは、電圧ＶｍとＶｃの双方に対応し、電圧Ｖｍが切れると、省エネ起動ＭＰＵ４ｃとＤＲＡＭ＿Ｍ６ｂは直結する構成になっている。ＤＤＲの場合のリファレンス電圧なども切り替わるものとし、省エネＭＰＵ４ｃが正常にＤＲＡＭ＿Ｍ６ｂにアクセスできるようになっている。なお、ＤＲＡＭからのコピーは全領域でも良く、また、一義的やメインＭＰＵ４ｂで動的に決められた領域であっても良い。また、メインＭＰＵ４ｂが省電力に移行する前の状態のまま正常に立ち上がれる情報を、少なくとも含むものである。また、省電力移行前にキャッシュなどのためＲＡＭ展開していたものはＤＲＡＭ＿Ｍ６ｂから開放することでＦＲＯＭ＿Ｓ５ｃの容量を削減することができる。以降、キャパシタ１７ｃにチャージされた電力にてＤＲＡＭ＿Ｍ６ｂのセルフバックアップが保持される（Ｓ１０７）。
【００４１】
また、省エネ起動ＭＰＵ４ｃは、第２電圧検知１９ａを用いて、キャパシタ１７ｃの電圧が有効であるか監視する（Ｓ１０８）。ＤＥＴ＿Ｖｃが無効（disable）でない場合（Ｓ１０８：Ｎｏ）、省電力復帰イベントがあるかどうか監視する（Ｓ１１３）。本実施形態では、Ｖｕ１，５はＯＦＦしているのでＩＶＴ＿１，５はフラグが立っても無効とする。
【００４２】
イベントがある場合（Ｓ１１３：Ｙｅｓ）、ＤＲＡＭ＿Ｍ６ｃのリフレッシュを解除し（Ｓ１１４）、電圧ＶｍをＯＮして（Ｓ１１５）、高速復帰フラグを立ててメインＭＰＵ４ｂに通知する（Ｓ１１６）。
【００４３】
ここで、メインＭＰＵ４ｂは立ち上がり時に、ＣＯＭ＿ＭＳ信号からの受信を検知し、この通知があると、本発明の特徴的な動作である高速復帰であることを認識するようになっている。メインＭＰＵ４ｂは、この高速復帰フラグが立っているときは初期化処理を行わず、ＤＲＡＭ＿Ｍ６ｃのデータを用いてそのまま高速復帰する（エンド（復帰イベント時））。なお、イベントによってはエンジン制御部１の電圧ＶｅをＯＮしても良く（Ｓ１１７）、ＦＡＸやネットワークからのデータをメモリに蓄積するだけの復帰であれば、エンジン制御部１の電圧をＯＦＦしたままの方が、無効な消費電力を発生させないで済むため好ましい。
【００４４】
上記の復帰イベントの処理が終了し、省電力移行時間が経過すると、再度処理フローの先頭から動作する。なお、エンジン制御部２を起動させていなければ、ＳＷ１の処理はスキップするようにしても良いが、ＯＦＦ処理をしても動作上問題は生じない。
【００４５】
一方、キャパシタ１７ｃの電圧が有効であるか監視し、ＤＥＴ＿Ｖｃが無効（disable）である場合（Ｓ１０８：Ｙｅｓ）は、期間内にイベントが発生しなかった場合である。この場合、さらに低電力にするためＶｓ電圧に切り替える。まずは、ＤＲＡＭ＿Ｍ６ｂの電圧ＶｄｒをＯＦＦするため、ＤＲ＿ＥＮ信号をＯＦＦする（Ｓ１０９）。次に、ＳＷ３をＯＮして（Ｓ１１０）、ＳＷ４をＯＦＦすることで（Ｓ１１１）、電圧Ｖｃは電圧Ｖｓに切り替わり、省エネ起動ＭＰＵ４ｃは自身の消費電力を抑える制御を行う（Ｓ１１２）。例えば、クロックを下げたり、使用しないセル（図１ではＤＭＡＣ、ＤＲＡＭＩ／Ｆ、ＦＲＯＭＩ／Ｆなど）への供給電圧を停止したりする。ＤＲＡＭ＿Ｍ６ｂは、その電源がＯＦＦされ、セルフリフレッシュ時より数十ｍＡ電流を低減することができる（分岐Ａへ）。
【００４６】
この低電力モードに移行した後に、復帰イベントがあると（Ｓ１１８：Ｙｅｓ）、制御コントローラ部２を立ち上げる。すなわち、ＳＷ５−９を全てＯＮにする（Ｓ１１９）。これは、ユーザーが何かのイベントで復帰させ、別のイベントをさせたいと考えたときに有効である。また、ＳＷ４をＯＮし（Ｓ１２０）、ＳＷ２をＯＮしてからＳＷ３をＯＦＦすることで（Ｓ１２１〜Ｓ１２２）、電圧Ｖｓを電圧Ｖｍに切り替え、ＤＲ＿ＥＮ信号をＯＮして、ＤＲＡＭの電圧ＶｄｒもＯＮする（Ｓ１２３）。
【００４７】
次に、ＦＲＯＭ＿Ｓ５ｃからＤＲＡＭ＿Ｍ６ｂにデータをコピーし（Ｓ１２４）、メインＭＰＵ４ｂに高速復帰フラグをＯＦＦして通知する（Ｓ１２５）。なお、上述のように、メインＭＰＵ４ｂは立ち上がり時にＣＯＭ＿ＭＳ信号からの受信を検知し、この通知があると、本発明の特徴的な動作である高速復帰であることを認識するようになっている。
【００４８】
メインＭＰＵ４ｂは、この高速復帰フラグが立っていないときはエンジン制御部１の初期化ハンドリングは行わず、自身の初期化処理（復帰イベントが発生した部位の初期化は一部に留める）を行い、ＦＲＯＭ＿Ｓ５ｃからコピーされたＤＲＡＭ＿Ｍ６ｃのデータを用いて復帰する（エンド（ＷＡＩＴ終了時））。この際、コピーエラー等を考慮し、ＳＵＭチェック値などのメモリデータの整合性をチェックする。また、多少の初期化処理とメモリデータの整合性チェックのため、上述の高速復帰よりは復帰には時間が掛かる。しかしながら、ＦＲＯＭからＤＲＡＭにプログラム展開するシステムの場合には、その時間が省け、高速に復帰することが可能である。
【００４９】
なお、復帰イベントによっては、エンジン制御部１のＩ／Ｏを使用する場合があるので、この場合には、メインＭＰＵ４ｂで判断し、省エネ起動ＭＰＵ４ｃに通知するか、部位によっては（上述の例では電圧Ｖｕ１はＯＦＦとしているが、例えば、電圧Ｖｕ１がＯＮならば、ＡＤＦセンサーであればエンジン制御部１を一義的に起動してしまうなど）、省エネ起動ＭＰＵ４ｃが判断し、ＳＷ１をＯＮして電圧ＶｅをＯＮする（Ｓ１２６）。
【００５０】
図３は、各ＭＰＵのステータスと制御コントローラの電源の動作を示すタイムチャートであり、図２に示した省電力モードへの移行および通常モードへの復帰処理におけるメインＭＰＵ４ａおよび省エネ起動ＭＰＵ４ｂの動作、ステータスと、電圧Ｖｍ、Ｖｃの変化を示している。
【００５１】
上述のように、復帰イベントがなく、キャパシタ１７ｃがディスチャージした場合、低電力モードに移行する。図３（Ａ）は、復帰イベントがなく、復帰イベント待ちの状態を示している（図２のＷＡＩＴ終了時、Ｓ１０１〜Ｓ１１２、Ｓ１１８〜Ｓ１２６）。なお、時間Ｔｂはキャパシタ電圧によりＤＲＡＭメインをセルフリフレッシュ状態にさせておける期間を示している。
【００５２】
一方、図３（Ｂ）は、キャパシタ１７ｃがディスチャージする前に、復帰イベントがあった場合（図２の復帰イベント時、Ｓ１０１〜Ｓ１０８、Ｓ１１３〜Ｓ１１７）を示している。
【００５３】
図２に示した例では、操作部（ＩＶＴ＿２）、アナログ電話回線（ＩＶＴ＿３）、ネットワーク（ＩＶＴ＿４）の復帰イベントを監視する例について説明した。この場合、図３におけるＤＲＡＭメインのセルフバックアップ時間Ｔｂは次式（１）で表される。
Ｔｂ＝Ｖｍ×Ｃ／（Ｉｕ２＋Ｉｕ３＋Ｉｕ４）  ・・・（１）
【００５４】
なお、復帰イベントの部位の数とセルフバックアップ時間の時間との関係は、例えば、画像処理装置の説明書などに記載しておき、装置管理者が不要なものを省いてより長くしようとした場合には、実施例からさらに、操作部、アナログ電話回線、ネットワークのいずれかを復帰イベント不可に設定すれば、時間を調整することができるようにすることが好ましい。
【００５５】
以下、本発明に係る画像処理装置のその他の実施形態について説明する。なお、上記実施形態と同様の点についての説明は省略する。
【００５６】
＜第２の実施形態＞
画像処理装置は、キャパシタを複数備える構成とすることも好ましい。図４に示す画像処理装置のブロック構成図を用いてキャパシタの電圧供給時間の調整について説明する。なお、図４では、キャパシタの電圧供給時間の調整に係るブロックのみを示しており、図１と同様の部分については、図示を省略する。
【００５７】
第１の実施形態（図１）ではキャパシタ１７ｃが一つで、復帰イベントは５つの部位である場合について説明したが、本実施形態（図４）では、キャパシタを２１ａ，２１ｂ（それぞれ容量Ｃ１，Ｃ２である）の２つ用意し、信号ＳＷ１０により、ＳＷ１８ｃで切り替えられるようにしたものである。
【００５８】
キャパシタ２１ａ，２１ｂは、整流のための整流ダイオード２０ａ〜ｅにより、電圧Ｖｃへ供給される。また、キャパシタ１つの場合には、電圧Ｖｃだけを監視していたが、キャパシタを切り替えるためにキャパシタ２１ａ，２１ｂのそれぞれに第３電圧検知１９ｃ、第４電圧検知１９ｄを設け、電圧がスレッシュ以上で有効かどうかを検出する検知信号ＤＥＴ＿Ｖｃ１，２を、省エネ起動ＭＰＵ４ｃで検出できるようにしている。
【００５９】
例えば、キャパシタ２１ａの電圧が有効以下に落ちた場合、ＳＷ１８ｃを図に示す接点と異なる接点に切り替え、キャパシタ２１ｂからの電圧供給に切り替えるものである。上記第１の実施形態では、電圧Ｖｃの有効／無効を検出しているが、本実施形態では、キャパシタ２１ｂのＤＥＴ＿Ｖｃ２を検出することとなる。
【００６０】
また、本実施形態におけるＤＲＡＭメインのセルフバックアップ時間Ｔｂは、次式（２）で表させる。
Ｔｂ＝Ｖｍ×（Ｃ１＋Ｃ２）／（Ｉｕ２＋Ｉｕ３＋Ｉｕ４）  ・・・（２）
【００６１】
なお、装置管理者により、時間Ｔｂを短くする場合は、ＳＷ１８ｃの切り替えを止めればいい。これにより、省電力モードに移行した後一定期間以内であれば、キャパシタによるメモリのセルフバックアップを行い高速復帰することができ、かつ、その時間を調整することができる。
【００６２】
ここで、以上のように構成された画像処理装置において、選択に応じ電源を切り替える設定（切替パターン）を複数保存し（切替パターン記憶手段）、かつ、画像処理装置が有する各機能の使用頻度を時間経過とともに記憶し（使用頻度記憶手段）、記憶した使用頻度に基づき、設定を選択することも好ましい。これにより、省電力モードに移行したときメモリの情報を使用状況に応じて、さらに低電力な状態で一定期間保持し、モードからの復帰イベントが起こった場合には保持したメモリの情報で制御コントローラが高速復帰することができる。
【００６３】
図４に示す構成の画像処理装置を用いた各ＳＷの切替設定について説明する。メインＭＰＵ４ｂは、通常時どの部位が使用されたかを省エネ起動ＭＰＵ４ｃに通知する。また、省エネ起動ＭＰＵ４ｃは、時刻用のリアルタイムクロックを有しており、通知された時刻をメインＭＰＵ４ｂのメモリ退避とは別のＦＲＯＭ＿Ｓ５ｃ領域に記憶しておく。また、省電力モード時に復帰イベントが起こると同様に記録していく。次に、予め決められた時刻に、集計された記録データを統計的に診断して、使用頻度が変化するところでマージしたところ、図５（Ａ)に示すようであったとする。
【００６４】
図５（Ａ）に示す使用実績の観測結果は、ある事務所を想定したものである。ここで、人員がいない夜間などには、ＦＡＸ受信が少なく、キャパシタひとつで足りる時間より長い間隔だった場合、キャパシタも切り替わったと見ることができる。この観測結果に基づいて、例えば、５つの設定値（設定１〜５）を決定して、図５（Ｂ）に示すように、時間帯ごとにいずれの設定値を用いるかを決定し、時間帯ごとにＳＷ５〜１０の設定を切り替えるものである。なお、図５に示す例では、設定を５つ、時間帯を６つに区切っているが、時間帯や設定数は実使用上５個程度が好ましく、それ以上になる場合には予め決めておくルールでいずれかに集約するようにしておけばいい。また、設定０は、デフォルト設定で、上述の動作の設定値確定前、リセット時に採用される設定である。
【００６５】
＜第３の実施形態＞
また、充電時間の異なる複数のキャパシタを装備し、より早く充電できるキャパシタの供給電流を省電力モードに移行する処理にも使用する手段を備え、低電力で動作する期間をより長くし、かつ頻繁に省電力モードに移行したときでも供給電流が確保できるようにすることも好ましい。
【００６６】
図６に、本実施形態に係る画像処理装置が実行する省電力モードへの移行および通常モードへの復帰処理の他の例を示すフローチャートを示す。なお、図２のフローチャートにおけるＳ１０１〜Ｓ１２６の処理は、それぞれ図６のＳ２０1〜Ｓ２２６に対応し、図６は、Ｓ２２７〜Ｓ２２９の処理が加えられたものである。なお、本実施形態では、図４に示す画像処理装置を例に説明する。
【００６７】
キャパシタ（第１のキャパシタ）２１ａは比較的小容量（Ｃ１）であり、そのため急速に充電できるが短い時間しか給電できないものとし、一方、キャパシタ（第２のキャパシタ）２１ｂは比較的大容量（Ｃ２）であり、長時間給電できるが充電には時間が掛かるものとする。
【００６８】
上記実施形態と同様に、電圧Ｖｍが無効（disable）になるのを待ち、ＤＲＡＭ＿Ｍ６ｂのデータをＦＲＯＭ＿Ｓ５ｃに退避し、ＤＲＡＭ＿Ｍをセルフリフレッシュへ移行させる（Ｓ２０５〜Ｓ２０７）。ここで、ＳＷ１８ｃは、コンティニアス接続ができ、オープン状態が生じないリレーや半導体スイッチとする。次に、ＳＷ１８ｃを、信号ＳＷ１０によって、キャパシタ２１ａ側デフォルトから、キャパシタ２１ｂ側へ切り替える（Ｓ２２７）。これにより、ＤＲＡＭ→ＦＲＯＭへの退避とセルフリフレッシュへの移行の動作は、キャパシタ２１ａで行い、セルフバックアップの保持はキャパシタ２１ｂの供給電力で行うことができる。
【００６９】
また、キャパシタ２１ｂ側の電圧が無効（disable）になるのは、電圧検知信号ＤＥＴ＿Ｖｃ２で判別することができる（Ｓ２０８）。無効になるとＤＲ＿ＥＮ信号をＯＦＦして、ＤＲＡＭへの電流供給をやめる（Ｓ２０９）。省エネ起動ＭＰＵ４ｃが低電力モードに移行する前にＳＷ１８ｃはデフォルトに戻しておく（Ｓ２２８）。
【００７０】
また、セルフバックアップを保持しているとき、いずれかの復帰イベントが発生した場合にはセルフリフレッシュを解除し、ＳＷ２をＯＮして電圧ＶｍをＯＮするとともに（Ｓ２１４、Ｓ２１５）、ＳＷ１８ｃはデフォルトに戻しておく（Ｓ２２９）。
【００７１】
このように、本実施形態によれば、ＤＲＡＭからＦＲＯＭへの退避と、セルフリフレッシュへの移行の動作を急速に充電できるキャパシタの給電で行うことが可能となる。これにより、セルフバックアップの保持をする時間が長くすることができ、頻繁に省電力モードへの移行が生じる場合、例えば、キャパシタの電力を使い果たした直後に復帰イベントが起こったとしても、その復帰イベント中に充分充電ができ、次の動作時にも確実にデータ退避が行うことができる。
【００７２】
＜第４の実施形態＞
また、以下に述べるように、省電力モードへの移行に際して、次の復帰イベントが起こるまでの時間経過を記憶する手段と、メモリ情報の退避に要する時間（通常速度及び低電力モードの比較的遅い速度で行った場合の時間）を判別する手段と、を備え、メモリ退避に時間的余裕がある場合には、メモリ退避に使う電力を低減した電力モードで行うことも好ましい。
【００７３】
図７に、本実施形態に係る画像処理装置が実行する省電力モードへの移行および通常モードへの復帰処理の他の例を示すフローチャートを示す。なお、図２のフローチャートにおけるＳ１０１〜Ｓ１２６の処理は、それぞれ図７のＳ３０１〜Ｓ３２６に対応し、図７は、Ｓ３２７〜Ｓ３３６の処理が加えられたものである。なお、本実施形態では、図４に示す画像処理装置を例に説明する。
【００７４】
図７に示す例では、メインＭＰＵ４ｂが省電力モードへの移行通知とともに、退避すべきメモリ領域を省エネ起動ＭＰＵ４ｃに通知する。これを受けると、省エネ起動ＭＰＵ４ｃはＳＷ１をＯＦＦし、ＳＷ５−９から不要な部位のスイッチをＯＦＦし、ＳＷ２をＯＦＦする（Ｓ３０１〜Ｓ３０４）。
【００７５】
また、電圧Ｖｍが無効になったかどうかを待って（Ｓ３０５：Ｙｅｓ）、通知された退避すべきメモリ領域を、予め求められている、ＤＲＡＭからＦＲＯＭへの退避に使う速度から、経過する時間Ｔ１を算出する（Ｓ３２７）。なお、図７では、待った後にしているが待っている間に算出をしても良い。また、キャパシタ電力をＤＲＡＭの通常電流で消費してしまうが、放電よりは比較的短い時間で行えるものであるので、そのときの電流も考慮されているものとする。
【００７６】
また、図５の時間帯による、復帰イベントが起こるまでの時間Ｔ２をＦＲＯＭ＿Ｓ５ｃ領域に記憶しておいた値から取得する（Ｓ３２８）。Ｔ１とＴ２を比較し、Ｔ１＞Ｔ２の場合には（Ｓ３２９：Ｙｅｓ）、退避中に次のイベントが起こってしまうので、以降、図２と同様のフローとなる。
【００７７】
Ｔ１＞Ｔ２でない場合（Ｓ３２９：Ｎｏ）（なおシステム上安定するためにばらつきを考慮してあるものとする）、ＤＲＡＭをセルフバックアップに移行せずに、ＳＷ３をＯＮ、ＳＷ４をＯＦＦして低電力電圧Ｖｓに移行させ（Ｓ３３０〜Ｓ３３２）、省エネ起動ＭＰＵ４ｃを処理速度の遅い低電力モードにてＤＲＡＭ→ＦＲＯＭの退避を行う（Ｓ３３３〜Ｓ３３４）。次に、ＳＷ４をＯＮ、ＳＷ３をＯＦＦに戻し（Ｓ３３５〜Ｓ３３６）、以降、図２と同様のフローとなる。
【００７８】
このように、ＦＲＯＭ退避を高速に実行する場合には、比較的電力を消費することから、時間に余裕がある場合には、速度を遅くし、さらに低電力化を図ることが好ましい。ＤＲＡＭをセルフバックアップに移行せずに、アクセスすればセルフバックアップよりは大量の電流を消費する場合もあるが、電圧Ｖｄｒを切って、ＤＲＡＭへの電源部分、平滑やノイズ除去のコンデンサ容量により動作させることによりキャパシタの電力を消費しないよう調整することができる。なお、調整は、各部の速度も考慮して調整されるものである。
【００７９】
尚、上述の実施形態は本発明の好適な実施の例ではあるがこれに限定されるものではなく、本発明の要旨を逸脱しない範囲において種々変形実施可能である。
【符号の説明】
【００８０】
１  エンジン制御部
２  制御コントローラ部
３ａ  第１の省電力制御部
３ｂ  第２の省電力制御部
４ａ  エンジンＭＰＵ
４ｂ  メインＭＰＵ
４ｃ  省エネ起動ＭＰＵ
５ａ  ＦＲＯＭ＿Ｅ
５ｂ  ＦＲＯＭ＿Ｍ
５ｃ  ＦＲＯＭ＿Ｓ
６ａ  ＤＲＡＭ＿Ｅ
６ｂ  ＤＲＡＭ＿Ｍ
６ｃ  マルチプレクサ
６ｄ  メモリ電圧生成回路
７  画像処理制御部
８ａ  スキャナ
８ｂ  スキャナ制御部
９ａ  レーザー
９ｂ  レーザー制御部
１０ａ  プロッタＩ／Ｏ
１０ｂ  プロッタ制御部
１１ａ  ＡＤＦ
１１ｂ  モーター／クラッチ
１１ｃ  センサー
１１ｄ  Ｉ／Ｏ制御部
１２  操作部
１３ａ  回線Ｉ／Ｆ
１３ｂ  ＦＡＸモデム
１４  ＬＡＮ  Ｉ／Ｆ
１５  ＵＳＢＰＨＹ
１６ａ  電源コード
１６ｂ  電源スイッチ
１６ｃ  電源部
１７ａ,１７ｂ，１７ｄ  整流ダイオード
１７ｃ  キャパシタ
１８ａ，１８ｂ，１８ｃ  スイッチ
１９ａ  第２電圧検知
１９ｂ  第１電圧検知
１９ｃ  第３電圧検知
１９ｄ  第４電圧検知
２０ａ，２０ｂ，２０ｃ，２０ｄ，２０ｅ  整流ダイオード
２１ａ，２１ｂ  キャパシタ
【先行技術文献】
【特許文献】
【００８１】
【特許文献１】特許第３７９８３５３号公報
【特許文献２】特開２００６−３５０８５９号公報
【図１】
0005625769.tif 000002
【図２】
0005625769.tif 000003
【図３】
0005625769.tif 000004
【図４】
0005625769.tif 000005
【図５】
0005625769.tif 000006
【図６】
0005625769.tif 000007
【図７】
0005625769.tif 000008